(57)【要約】【課題】園芸用トリマのための改良されたガイド部材を提供する。【解決手段】ガイド部材は、第１ブレードの長穴に挿入されており、第１ブレードの往復運動をガイドする。長穴は、互いに対向しながら第１方向に沿って延びる第１内側面及び第２内側面を有する。ガイド部材の長穴に対する角度は、第１角度位置と第２角度位置との間で調整可能である。ガイド部材は、長穴の第１内側面及び第２内側面に対向する外周面を有し、その外周面は、長穴の第１内側面に接触する第１部分と、長穴の第２内側面に接触する第２部分とを有する。ガイド部材の外周面は、少なくとも第１部分及び第２部分において湾曲しており、第１部分及び第２部分における曲率半径は、長穴の第１内側面と第２内側面との間隔の半分よりも大きい。【選択図】図５
2020191796.tif 000002
【特許請求の範囲】
【請求項１】
園芸用トリマであって、
原動機と、
前記原動機により第１方向に沿って往復駆動されるとともに、その長手方向が前記第１方向に沿って延びる長穴を有する第１ブレードと、
前記第１ブレードの前記長穴に挿入されており、前記第１ブレードの往復運動をガイドするガイド部材と、
を備え、
前記第１ブレードの前記長穴は、前記第１方向に垂直な第２方向に沿って前記第１ブレードを貫通しているとともに、互いに対向しながら前記第１方向に沿って延びる第１内側面及び第２内側面を有し、
前記ガイド部材は、前記長穴の前記第１内側面及び前記第２内側面に対向する外周面を有し、
前記ガイド部材の前記外周面は、前記長穴の前記第１内側面に接触する第１部分と、前記長穴の前記第２内側面に接触する第２部分とを有し、
前記ガイド部材の前記外周面は、少なくとも前記第１部分及び前記第２部分において湾曲しており、
前記第１部分及び前記第２部分における曲率半径は、前記長穴の前記第１内側面と前記第２内側面との間隔の半分よりも大きい、
園芸用トリマ。
【請求項２】
前記ガイド部材の前記外周面は、前記長穴の前記第１内側面に対向する第１外側面を有し、
前記第１部分は、前記第１外側面に位置している、請求項１に記載の園芸用トリマ。
【請求項３】
前記第１外側面の少なくとも一部は、曲率半径が周方向に沿って変化している、請求項２に記載の園芸用トリマ。
【請求項４】
前記第１外側面の前記少なくとも一部は、サイクロイド曲線に沿って湾曲している、請求項３に記載の園芸用トリマ。
【請求項５】
前記第１外側面は、その全体が湾曲している、請求項２から４のいずれか一項に記載の園芸用トリマ。
【請求項６】
前記第１外側面は、前記第１部分とは異なる位置に、平面の区間を有する、請求項２から４のいずれか一項に記載の園芸用トリマ。
【請求項７】
前記ガイド部材の前記外周面は、前記長穴の前記第２内側面に対向する第２外側面を有し、
前記第２部分は、前記第２外側面に位置している、請求項２から６のいずれか一項に記載の園芸用トリマ。
【請求項８】
前記第２外側面は、前記第１外側面と左右対称である、請求項７に記載の園芸用トリマ。
【請求項９】
前記第１ブレードは、その長手方向が前記第１方向に平行な他の長穴をさらに有し、
前記園芸用トリマは、前記第１ブレードの前記他の長穴に挿入されており、前記第１ブレードの往復運動をガイドする他のガイド部材をさらに有する、請求項１から８のいずれか一項に記載の園芸用トリマ。
【請求項１０】
前記他のガイド部材は、前記ガイド部材よりも前記原動機から離れて位置するとともに、前記ガイド部材と異なる形状を有する、請求項９に記載の園芸用トリマ。
【請求項１１】
前記原動機により前記第１方向に沿って前記第１ブレードと逆位相で往復駆動されるとともに、その長手方向が前記第１方向に沿って延びる長穴を有する第２ブレードをさらに備え、
前記ガイド部材は、前記第２ブレードの前記長穴にも挿入されており、前記第２ブレードの往復運動もガイドする、請求項１から１０のいずれか一項に記載の園芸用トリマ。
【請求項１２】
前記第２ブレードの前記長穴は、前記第２方向に沿って前記第２ブレードを貫通しているとともに、互いに対向しながら前記第１方向に沿って延びる第３内側面及び第４内側面を有し、
前記ガイド部材の前記外周面の前記第１部分及び前記第２部分における曲率半径は、前記第２ブレードの前記長穴の前記第３内側面と第４内側面との間隔の半分よりも大きい、請求項１１に記載の園芸用トリマ。
【請求項１３】
前記第２ブレードの前記長穴は、前記第１ブレードの前記長穴と同一の開口形状を有する、請求項１１又は１２に記載の園芸用トリマ。
【発明の詳細な説明】
【技術分野】
【０００１】
本開示は、例えばヘッジトリマや芝刈機といった園芸用トリマに関する。
【背景技術】
【０００２】
特許文献１に、園芸用トリマが開示されている。この園芸用トリマは、原動機と、原動機によって往復駆動される一対のブレードを有する。各々のブレードには、第１方向に沿って延びる長穴が設けられており、それらの長穴には、ブレードの往復運動をガイドするガイド部材が挿入されている。
【先行技術文献】
【特許文献】
【０００３】
【特許文献１】特開２００１−１１６０２１号公報
【発明の概要】
【発明が解決しようとする課題】
【０００４】
ガイド部材としては、丸型や角型のものが知られている。例えば、上記した園芸用トリマでは、角型のガイド部材が採用されている。ガイド部材が角型の場合、長穴に対してガイド部材が傾いていると、ガイド部材はその角部において長穴の内面と接触する。ガイド部材の角部は、曲率半径が比較的に小さいので、そのような角部が長穴の内面と接触していると、ブレードが受ける摺動抵抗を増大させるおそれがある。この点は、丸型のガイド部材と比較して、角型のガイド部材のデメリットと言える。その一方で、長穴に対して角型のガイド部材が傾いていると、ガイド部材とブレードとの間の隙間は小さくなる。これにより、ガイド部材とブレードとの間の過剰な遊びが排除されることで、不快な振動や騒音が抑制される。この点は、丸型のガイド部材と比較して、角型のガイド部材のメリットと言える。以上のように、従来のガイド部材には、丸型や角型のものが採用されており、それぞれにメリットやデメリットが存在している。
【０００５】
上記した実情を鑑みて、本明細書は、改良されたガイド部材を有する新規な園芸用トリマを開示する。
【課題を解決するための手段】
【０００６】
本明細書が開示する園芸用トリマは、原動機と、原動機により第１方向に沿って往復駆動されるとともに、その長手方向が第１方向に沿って延びる長穴を有する第１ブレードと、第１ブレードの長穴に挿入されており、第１ブレードの往復運動をガイドするガイド部材とを備える。第１ブレードの長穴は、第１方向に垂直な第２方向に沿って第１ブレードを貫通している。第１ブレードの長穴は、互いに対向しながら第１方向に沿って延びる第１内側面及び第２内側面を有する。ガイド部材は、長穴の第１内側面及び第２内側面に対向する外周面を有する。ガイド部材の外周面は、長穴の第１内側面に接触する第１部分と、長穴の第２内側面に接触する第２部分とを有する。ガイド部材の外周面は、少なくとも第１部分及び第２部分において湾曲しており、第１部分及び第２部分における曲率半径は、長穴の第１内側面と第２内側面との間隔の半分よりも大きい。
【０００７】
上記した園芸用トリマでは、ガイド部材の外周面が、第１部分において第１ブレードの長穴の第１内側面に接触するとともに、第２部分において第１ブレードの長穴の第２内側面に接触し得る形状を有する。これにより、第１ブレードの往復運動が安定してガイドされ、不快な振動や騒音の発生が抑制される。加えて、ガイド部材の外周面は、少なくとも第１部分及び第２部分において湾曲しており、第１部分及び第２部分における曲率半径は、長穴の第１内側面と第２内側面との間隔の半分よりも大きい。これにより、ガイド部材と第１ブレードとの間の接触圧が低減され、第１ブレードの受ける摺動抵抗が低減される。
【図面の簡単な説明】
【０００８】
【図１】実施例の園芸用トリマ１０の外観を示す斜視図。
【図２】実施例の園芸用トリマ１０の内部構造を示す断面図。
【図３】一対のブレード１４、１６に関する構造を示す分解図。
【図４】ガイド部材４０の斜視図。
【図５】第１ブレード１４の長穴１５とガイド部材４０とを示す平面図。
【図６】第２ブレード１６の長穴１７とガイド部材４０とを示す平面図。
【図７】第１ブレード１４の長穴１５と変形例のガイド部材４０ｘとを示す平面図。
【発明を実施するための形態】
【０００９】
本技術の一実施形態において、ガイド部材の外周面は、長穴の第１内側面に対向する第１外側面を有してもよい。この場合、前記した第１部分は、第１外側面に位置してもよい。
【００１０】
上記した実施形態において、第１外側面の少なくとも一部は、曲率半径が周方向に沿って変化していてもよい。このような構成によると、ブレードの長穴に対するガイド部材の角度に応じて、ガイド部材とブレードとの間の隙間が適度に調整される。但し、他の実施形態として、第１外側面の一部又は全部は、曲率半径が周方向に沿って一定であってもよい。
【００１１】
上記した実施形態において、第１外側面の少なくとも一部は、サイクロイド曲線に沿って湾曲していてもよい。このような構成によると、ブレードの長穴に対するガイド部材の角度に応じて、ガイド部材とブレードとの間の隙間がより適度に調整される。但し、他の実施形態として、第１外側面の少なくとも一部は、例えば真円、楕円、長円、放物線のような、他の曲線に沿って湾曲していてもよい。
【００１２】
上記した実施形態において、第１外側面は、その全体が湾曲していてもよい。あるいは、第１外側面は、前記した第１部分とは異なる位置に、平面の区間を有してもよい。
【００１３】
上記した実施形態において、ガイド部材の外周面は、長穴の第２内側面に対向する第２外側面をさらに有してもよい。この場合、前記した第２部分は、第２外側面に位置していてもよい。
【００１４】
上記した実施形態において、第２外側面は、第１外側面と左右対称（即ち、線対称）であってもよい。但し、他の実施形態として、第２外側面は、第１外側面と非対称であってもよい。
【００１５】
本技術の一実施形態において、第１ブレードは、その長手方向が第１方向に平行な他の長穴をさらに有してもよい。この場合、園芸用トリマは、第１ブレードの他の長穴に挿入されており、第１ブレードの往復運動をガイドする他のガイド部材をさらに有してもよい。この場合、他のガイド部材は、前記したガイド部材と同じ形状を有してもよいし、前記したガイド部材と異なる形状を有してもよい。
【００１６】
上記した実施形態において、他のガイド部材は、前記したガイド部材よりも、原動機から離れて位置してもよい。加えて、他のガイド部材は、前記したガイド部材と異なる形状を有してもよい。この場合、他のガイド部材は、例えば丸型や角型のガイド部材であってもよい。
【００１７】
本技術の一実施形態において、園芸用トリマは、原動機により第１方向に沿って第１ブレードと逆位相で往復駆動される第２ブレードをさらに備えてもよい。この場合、第２ブレードは、その長手方向が第１方向に沿って延びる長穴を有してもよく、ガイド部材は、第２ブレードの長穴にも挿入されており、第２ブレードの往復運動もガイドしてもよい。なお、他の実施形態として、第２ブレードは、原動機によって駆動されない、固定式のブレードであってもよい。
【００１８】
上記した実施形態において、第２ブレードの長穴は、第２方向に沿って第２ブレードを貫通しているとともに、互いに対向しながら第１方向に沿って延びる第３内側面及び第４内側面を有してもよい。この場合、ガイド部材の外周面の第１部分及び第２部分における曲率半径は、第２ブレードの長穴の第３内側面と第４内側面との間隔の半分よりも大きくてもよい。即ち、第１ブレードに採用された上記構造の一部又は全部は、第２ブレードにも同様に採用することができる。
【００１９】
上記した実施形態において、第２ブレードの長穴は、第１ブレードの長穴と同一の開口形状を有してもよい。但し、他の実施形態として、第２ブレードの長穴は、第１ブレードの長穴と異なる形状を有してもよい。
【００２０】
以下では、本発明の代表的かつ非限定的な具体例について、図面を参照して詳細に説明する。この詳細な説明は、本発明の好ましい例を実施するための詳細を当業者に示すことを単純に意図しており、本発明の範囲を限定することを意図したものではない。また、以下に開示される追加的な特徴ならびに発明は、さらに改善された園芸用トリマを提供するために、他の特徴や発明とは別に、又は共に用いることができる。
【００２１】
また、以下の詳細な説明で開示される特徴や工程の組み合わせは、最も広い意味において本発明を実施する際に必須のものではなく、特に本発明の代表的な具体例を説明するためにのみ記載されるものである。さらに、上記及び下記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００２２】
本明細書及び／又は特許請求の範囲に記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【実施例】
【００２３】
図面を参照して、実施例の園芸用トリマ１０を説明する。園芸用トリマ１０は、主に生垣や植木の剪定に用いられる園芸工具であり、ヘッジトリマとも称される。図１−図３に示すように、園芸用トリマ１０は、本体１２と、本体１２から第１方向Ｘに沿って延びる一対のブレード１４、１６とを備える。一対のブレード１４、１６は、本体１２に固定されたガイドバー１８によって支持されている。ガイドバー１８は、一対のブレード１４、１６に沿って、本体１２から第１方向Ｘへ延びている。一対のブレード１４、１６には、第１ブレード１４と第２ブレード１６とが含まれる。
【００２４】
本体１２は、バッテリパック２が着脱可能に構成されている。即ち、本実施例の園芸用トリマ１０は、バッテリパック２を電源とするコードレスタイプの電動工具である。但し、他の実施形態として、園芸用トリマ１０は、外部の交流電源又は直流電源に、コードを介して接続される電動工具であってもよい。あるいは、園芸用トリマ１０は、エンジン駆動型の工具であってもよい。
【００２５】
本体１２は、ハウジング２０と、ハウジング２０内に位置するモータ２２とを備える。モータ２２は、一対のブレード１４、１６を駆動する原動機である。モータ２２は、一対のブレード１４、１６を、第１方向Ｘに沿って互いに逆位相で往復運動させる。この点に関して、ハウジング２０の内部には、クランクカム２４、第１コネクティングロッド２６及び第２コネクティングロッド２８が設けられている。クランクカム２４は、モータ２２によって回転駆動される。第１コネクティングロッド２６は、クランクカム２４を第１ブレード１４に連結しており、クランクカム２４の回転運動を第１ブレード１４の往復運動に変換する。第２コネクティングロッド２８は、クランクカム２４を第２ブレード１６に連結しており、クランクカム２４の回転運動を第２ブレード１６の往復運動に変換する。
【００２６】
ハウジング２０には、前方グリップ３０と後方グリップ３２とが設けられている。これらのグリップ３０、３２は、ユーザによって把持されるように構成されている。通常、ユーザは、左手で前方グリップ３０を把持し、右手で後方グリップ３２を把持することで、園芸用トリマ１０を操作する。なお、前方グリップ３０及び後方グリップ３２の位置や形状については、適宜変更することができる。
【００２７】
後方グリップ３２には、駆動スイッチ３４と、アンロックスイッチ３６が設けられている。ユーザが駆動スイッチ３４を操作すると、バッテリパック２からモータ２２に電力が供給され、モータ２２が一対のブレード１４、１６を駆動する。但し、駆動スイッチ３４は、通常、ハウジング２０の内部で機械的にロックされており、アンロックスイッチ３６が操作されている間に限って、駆動スイッチ３４の機械的なロックが解除される。これにより、駆動スイッチ３４の誤操作によって、一対のブレード１４、１６が意図せず駆動されることが防止される。
【００２８】
次に、一対のブレード１４、１６について説明する。前述したように、一対のブレード１４、１６には、第１ブレード１４と第２ブレード１６とが含まれる。第１ブレード１４には、第１方向Ｘに沿って複数の刃先１４ａが設けられている。同様に、第２ブレード１６には、第１方向Ｘに沿って複数の刃先１６ａが設けられている。これにより、第１ブレード１４と第２ブレード１６とが逆位相で往復運動すると、第１ブレード１４の刃先１４ａと第２ブレード１６の刃先１６ａが繰り返し交差して、例えば生垣の枝葉が切断される。
【００２９】
図３に示すように、第１ブレード１４は、複数の長穴１５を有する。複数の長穴１５は、第１方向Ｘに沿って配列されており、各々の長穴１５の長手方向は、第１方向Ｘに沿って延びている。また、各々の長穴１５は、第１方向Ｘに垂直な第２方向Ｙに沿って、第１ブレード１４を貫通している。各々の長穴１５には、第１ブレード１４の往復運動をガイドするために、ガイド部材４０が挿入されている。ガイド部材４０は、ボルト５０及びナット５２によってガイドバー１８に取り付けられており、ボルト５０によって固定されている。同様に、第２ブレード１６にも、複数の長穴１７が設けられている。これらの長穴１７についても、第１方向Ｘに沿って配列されており、各々の長穴１７の長手方向は、第１方向Ｘに沿って延びている。また、各々の長穴１７は、第１方向Ｘに垂直な第２方向Ｙに沿って、第２ブレード１６を貫通している。そして、第２ブレード１６の各々の長穴１７にも、第２ブレード１６の往復運動をガイドするために、ガイド部材４０が挿入されている。
【００３０】
図４、図５に示すように、第１ブレード１４の長穴１５は、第１内側面１５ａ及び第２内側面１５ｂを有する。第１内側面１５ａ及び第２内側面１５ｂは、互いに対向しながら第１方向Ｘに沿って延びている。そして、ガイド部材４０は、長穴１５の第１内側面１５ａ及び第２内側面１５ｂに対向する外周面４２を有する。特に限定されないが、ガイド部材４０の外周面４２は、長穴１５の第１内側面１５ａに対向する第１外側面４２ａと、長穴１５の第２内側面１５ｂに対向する第２外側面４２ｂとを有する。そして、第１外側面４２ａと第２外側面４２ｂは、互いに線対称となっている。但し、第１外側面４２ａと第２外側面４２ｂは、互いに非対称であってもよい。
【００３１】
前述したように、ガイド部材４０は、ボルト５０によって固定されている。これにより、図５に示すように、ガイド部材４０は、第１ブレード１４の長穴１５に対して、傾いた姿勢で固定されることができる。これにより、ガイド部材４０の外周面４２は、第１部分Ｐ１において第１ブレード１４の長穴１５の第１内側面１５ａに接触するとともに、第２部分Ｐ２において第１ブレード１４の長穴１５の第２内側面１５ｂに接触することができる。これにより、第１ブレード１４の往復運動が安定してガイドされ、不快な振動や騒音の発生が抑制される。
【００３２】
第１部分Ｐ１は、ガイド部材４０の外周面４２の第１外側面４２ａに位置している。第１外側面４２ａは、比較的に大きな曲率半径によって、その全体が湾曲している。詳しくは、第１外側面４２ａの曲率半径は、長穴１５の第１内側面１５ａと第２内側面１５ｂとの間隔Ｗ１の半分よりも大きい。特に限定されないが、本実施例における第１外側面４２ａは、サイクロイド曲線に沿って湾曲しており、その曲率半径はガイド部材４０の周方向に沿って変化している。一方、第２部分Ｐ２は、ガイド部材４０の外周面４２の第２外側面４２ｂに位置している。第２外側面４２ｂについても、比較的に大きな曲率半径によって、その全体が湾曲している。詳しくは、第２外側面４２ｂの曲率半径は、長穴１５の第１内側面１５ａと第２内側面１５ｂとの間隔Ｗ１の半分よりも大きい。特に限定されないが、第２外側面４２ｂについても、サイクロイド曲線に沿って湾曲しており、その曲率半径はガイド部材４０の周方向に沿って変化している。
【００３３】
上記したように、ガイド部材４０の外周面４２は、第１部分Ｐ１において第１ブレード１４の長穴１５の第１内側面１５ａに接触し、かつ、第２部分Ｐ２において第１ブレード１４の長穴１５の第２内側面１５ｂに接触し得る形状を有する。これにより、第１ブレード１４の往復運動が安定してガイドされ、不快な振動や騒音の発生が抑制される。加えて、ガイド部材４０の外周面４２は、少なくとも第１部分Ｐ１及び第２部分Ｐ２において湾曲しており、第１部分Ｐ１及び第２部分Ｐ２における曲率半径は、長穴１５の第１内側面１５ａと第２内側面１５ｂとの間隔Ｗ１の半分よりも大きい。これにより、ガイド部材４０と第１ブレード１４との間の接触圧が低減され、第１ブレード１４の受ける摺動抵抗が低減される。
【００３４】
図６に示すように、第２ブレード１６の長穴１７に対しても、第１ブレード１４の長穴１５と同様の構成が採用されている。即ち、第２ブレード１６の長穴１７は、第３内側面１７ａ及び第４内側面１７ｂを有する。第３内側面１７ａ及び第４内側面１７ｂは、互いに対向しながら第１方向Ｘに沿って延びている。第３内側面１７ａには、ガイド部材４０の第１外側面４２ａが対向しており、第４内側面１７ｂには、ガイド部材４０の第２外側面４２ｂが対向している。ここで、第３内側面１７ａと第４内側面１７ｂとの間隔Ｗ２は、第１ブレード１４の長穴１５の第１内側面１５ａと第２内側面１５ｂとの間隔Ｗ１と等しい。
【００３５】
ガイド部材４０の外周面４２は、第１部分Ｐ１において第２ブレード１６の長穴１７の第３内側面１７ａに接触し、かつ、第２部分Ｐ２において第２ブレード１６の長穴１７の第４内側面１７ｂに接触する。これにより、第２ブレード１６の往復運動についても安定してガイドされ、不快な振動や騒音の発生が抑制される。前述したように、長穴１７の第３内側面１７ａと第４内側面１７ｂとの間隔Ｗ２は、第１ブレード１４の長穴１５の第１内側面１５ａと第２内側面１５ｂとの間隔Ｗ１と等しい。従って、第１部分Ｐ１及び第２部分Ｐ２における曲率半径は、長穴１７の第３内側面１７ａと第４内側面１７ｂとの間隔Ｗ２の半分よりも大きい。これにより、ガイド部材４０と第２ブレード１６との間の接触圧も低減され、第２ブレード１６の受ける摺動抵抗についても低減される。
【００３６】
図７は、一変形例のガイド部材４０ｘを示す。このガイド部材４０ｘでは、第１外側面４２ａに、平面の区間４４ａが設けられている。この平面の区間４４ａは、第１部分Ｐ１とは異なる位置に設けられている。同様に、第２外側面４２ｂにも、平面の区間４４ｂが設けられている。この平面の区間４４ｂもまた、第２部分Ｐ２とは異なる位置に設けられている。このように、ガイド部材４０ｘの外周面４２には、一又は複数の平面の区間４４ａ、４４ｂが設けられてもよい。この変形例に限られず、ガイド部材４０、４０ｘの構成は、様々に変更することができる。但し、ガイド部材４０、４０ｘの外周面４２は、少なくとも第１部分Ｐ１及び第２部分Ｐ２において湾曲しており、第１部分Ｐ１及び第２部分Ｐ２における曲率半径が、第１ブレード１４の長穴１５の第１内側面１５ａと第２内側面１５ｂとの間隔Ｗ１の半分よりも大きいとよい。
【００３７】
本実施例の園芸用トリマ１０は、モータ２２によって一対のブレード１４、１６の両者を駆動するように構成されている。しかしながら、他の実施形態として、園芸用トリマ１０は、一対のブレード１４、１６の一方のみを、モータ２２又は他の原動機によって駆動するように構成されてもよい。
【００３８】
本実施例の園芸用トリマ１０では、一対のブレード１４、１６がシャーブレードの構造を有しており、一対のブレード１４、１６が枝葉をせん断するように構成されている。しかしながら、他の実施形態として、園芸用トリマ１０は、一対のブレード１４、１６に代えて、ソーブレードの構造を有する単一のブレードを備え、そのブレードをモータ２２又はその他の原動機に往復駆動することで、例えば枝葉を切断するように構成されていてもよい。
【００３９】
本実施形態の園芸用トリマ１０では、一対のブレード１４，１６がＺ方向において、正側負側の両方に刃先を有する例を示したが、刃先が正側のみ、又は負側のみのいわゆる片刃のものであってもよい。また、他の実施形態として、園芸用トリマは、長い棹の先端に往復駆動されるブレードを有し、高所の生垣を切断するポールヘッジトリマ、畦の雑草を切断する畦刈機、あるいは、ブレードが手押しの歩行型芝刈機の前側に配置され、進行方向左右に往復駆動されるサイズモア（ｓｃｙｔｈｅ  ｍｏｗｅｒ）であってもよい。
【００４０】
本実施例の園芸用トリマ１０では、複数のガイド部材４０の全てが、図４に示す同じ形状を有している。しかしながら、他の実施形態として、複数のガイド部材４０の一部は、図４とは異なる形状を有してもよく、例えば、丸型や角型の形状を有してもよい。この場合、複数のガイド部材４０のなかで、本体１２に最も近接するガイド部材４０（即ち、図３において最も左に位置するもの）には、図４に示す形状を採用するとよい。振動源であるモータ２２に近接するガイド部材４０に、図４に示す形状を採用することによって、園芸用トリマ１０の振動や騒音を効果的に抑制することができる。
【符号の説明】
【００４１】
２：バッテリパック
１０：園芸用トリマ
１２：本体
１４：第１ブレード
１５：第１ブレードの長穴
１６：第２ブレード
１７：第２ブレードの長穴
１８：ガイドバー
２０：ハウジング
２２：モータ
２４：クランクカム
２６：第１コネクティングロッド
２８：第２コネクティングロッド
３０：前方グリップ
３２：後方グリップ
３４：駆動スイッチ
３６：アンロックスイッチ
４０：ガイド部材
４２：ガイド部材の外周面
４２ａ：ガイド部材の外周面の第１外側面
４２ｂ：ガイド部材の外周面の第２外側面
５０：ボルト
５２：ナット
【図１】
2020191796.tif 000003
【図２】
2020191796.tif 000004
【図３】
2020191796.tif 000005
【図４】
2020191796.tif 000006
【図５】
2020191796.tif 000007
【図６】
2020191796.tif 000008
【図７】
2020191796.tif 000009